(57)【要約】【課題】把手のない紙容器であっても注出時に容器の取り落としを未然に防止できるようにして、かつ、容器表面を傷つけるおそれもない滑り防止機能付きの液体用紙容器を提供すること。【解決手段】少なくとも表面に熱可塑性樹脂層を形成させた紙を主材とする複合シートからなる紙容器本体（１０）の両側面で内容物の注出時に指が触れる個所に、アクリル樹脂系のノンスリップニス層（１２）を形成させた。ノンスリップニス層（１２）は紙容器本体の全側面に形成させても良い。【選択図】図１
2004256114.tif 000002
【特許請求の範囲】
【請求項１】
少なくと表面に熱可塑性樹脂層を形成させた紙を主材とする複合シートからなる紙容器本体の両側面で内容物の注出時に指が触れる個所に、アクリル樹脂系のノンスリップニス層を形成させたことを特徴とする、滑り防止機能付き液体用紙容器。
【請求項２】
前記滑り止め層が紙容器本体の全側面に形成されていることを特徴とする、請求項１記載の滑り防止機能付き液体用紙容器。
【発明の詳細な説明】
【０００１】
【発明の属する技術分野】
本発明は、紙製の液体用容器に関するものであり、特に容器の側面に滑り止め樹脂層を形成させることにより、滑り防止機能を付与した液体用紙容器に関する。
【０００２】
【従来の技術】
近年、牛乳やジュース、清酒等を収納した紙製の液体用の容器が商品化されており、この液体容器は注出用の口栓のキャップを外したり、あるいは上端のシール部分を開口させたりして、内容物の液体を注出できるようにしてある。
【０００３】
しかしながら、この種類の液体用紙容器にあっては、注出時にその液体用紙容器を片手で持って傾けて内容物を注出する場合、把手がついていないため、手のひらの小さな子供や女性、あるいは把握力の衰えた年配者などは容器を持ち上げ内容物を注出する際に手などが滑って容器を落としてしまうことがある。
【０００４】
このような現象は形状が大きな容器で、しかも容量が２リットル、３リットル等大容量の場合に発生し易く、また、内容物が食用油のように手の滑り易い液体の場合に多発する。
【０００５】
このような問題に対応するため、近年容器の側面に押圧等の方法により罫線や凹凸のエンボス模様を施した紙容器が開発されている。
しかしこの方法は、印刷とは別工程の押圧工程を経て行わねばならず、作業工程が増えるという問題がある。また、強く押し過ぎた場合には、下層の板紙層が割れるなどして表面の熱可塑性樹脂層を傷める等の問題も発生することがある。
【０００６】
【発明が解決しようとする課題】
本発明は、このような従来の問題点を解決するためになされもので、把手のない紙容器であっても注出時に容器の取り落としを未然に防止できるようにし、かつ、容器表面を傷つけるおそれもない滑り防止機能付きの液体用紙容器を提供することを課題とする。
【０００７】
【課題を解決するための手段】
本発明の請求項１の発明は、少なくと表面に熱可塑性樹脂層を形成させた紙を主材とする複合シートからなる紙容器本体の両側面で内容物の注出時に指が触れる個所に、アクリル樹脂系のノンスリップニス層を形成させたことを特徴とする、滑り防止機能付き液体用紙容器である。
【０００８】
このように請求項１記載の発明によれば、紙容器本体の両側面で内容物の注出時に指が触れる個所に、滑り止めとなるアクリル樹脂系のノンスリップニス層が形成されているので、紙容器を片手で持って傾けた際にも、ノンスリップニス層が手指の引っ掛かりとなり、滑って紙容器を取り落とすことがない。
【０００９】
また、請求項２の発明は、請求項１の発明において、前記滑り止め層が紙容器本体の全側面に形成されていることを特徴とする、滑り防止機能付き液体用紙容器である。
【００１０】
このように請求項２記載の発明によれば、滑り止め層が紙容器本体の全側面に形成されているので、紙容器を片手で持つ際に、どの位置で持ってもノンスリップニス層が手に触れることができる。
【００１１】
【発明の実施の形態】
本発明の滑り防止機能付き液体用紙容器を一実施形態に基づいて以下に詳細に説明する。
図１において、（１０）は液体用紙容器の本体であり、上部にキャップ付きの注出口栓（１１）が取り付けられ、注出する際に手指が触れる紙容器の両側面に滑り止め用のノンスリップニス層（１２）が形成されている。
【００１２】
ノンスリップニス層（１２）は図２に示すように、紙容器を片手で持つ際に手指が触れる第２パネル（２２）と第４パネル（２４）に設けることが一般的である。
【００１３】
また、ノンスリップニス層（１２）を形成させる位置は、例えば、一辺が８５ミリメートルで容量が２リットルの紙容器の場合、第２パネル（２２）と第４パネル（２４）の上から４０ミリメートル程度、また、紙容器を傾けた際に上側となる方向で上から５ミリメートル程度、空けた位置に、幅３０ミリメートル程度、長さ１００ミリメートル程度の帯状に形成させることが好ましい（図１、図２参照）。
【００１４】
ノンスリップニス層（１２）は、アクリル樹脂系、ウレタン樹脂系などの滑り止めニスで構成され、例えば、東洋インキ製造株式会社製のＡＱＤ４５ノンスリップワニスをグラビアコート法などの塗布方法により、０．１〜１００μｍ程度の高さに盛り上げることにより形成させる。
滑り止め効果の出せるコーティング剤を０．１〜１００μｍ程度塗布してノンスリップニス層としても良い。
【００１５】
また、硝化綿１５〜３５ｗｔ％に、アルキッド樹脂７０〜３０ｗｔ％＋ウレタン樹脂１５〜３５ｗｔ％を混合したニスを使用することもできる。この場合、アルキッド樹脂を入れ過ぎるとニスが柔らかくなりすぎ、タックがでたり、耐摩擦性が弱くなるので、ウレタン樹脂を混合することでこれらの不都合が解消できる。
【００１６】
ノンスリップニス層（１２）は、全面に塗布するのではなく、図４（ａ）、（ｂ）に示すようなドット状に塗布面を形成させても良い。
【００１７】
ノンスリップニス層（１２）の塗布は、印刷インキやオーバープリントニスの塗布と同時に印刷工程の中で行うことができる（インラインコーティング）。
勿論、印刷工程の後のオフラインコーティングとしても構わない。さらに、紙容器に組み立てた後の充填機のライン上でスプレーコート等の方法で形成させても良い。
【００１８】
また、ノンスリップニス層（１２）を、紙容器本体の隣り合った側面（第１パネル（２１）、第３パネル（２３））にも設けることにより、全側面に設けることになり、紙容器本体を持ち上げる位置に関係なく、手指が確実にノンスリップニス層を握持することになる。
【００１９】
ノンスリップニス層（１２）は、図４（ｂ）に示すように、第２パネル（２２）の塗布位置と第４パネル（２４）の塗布位置をずらして形成させても良い。
ずらして形成することにより、紙容器スリーブの梱包時や充填機でスリーブを起こす時、充填後ラインを流れる時などに、隣のパックとの滑り性を良くするという効果が出る。
【００２０】
紙容器本体（１０）の形状は、図１、図３に示すような、上面が屋根型に突出した屋根型容器のほかに上面がフラットな平面型容器、上面が傾斜したスロープトップ型容器などであっても構わない。
また、注出口栓が設けられておらず、上端のシール部を開口させる形式であっても構わない。
【００２１】
紙容器本体（１０）の材質構成は、例えば、板紙を基材とし内側にバリア層とシーラント層が順次積層され、板紙の外側には熱可塑性樹脂層（２６）が積層された複合シート（２５）が一般的である。外側には必要に応じてインキ層（図示せず）やオーバープリントニス層（図示せず）が形成されている。
【００２２】
材質構成の一具体例をあげるならば、〔容器外側〕オーバープリントニス／インキ層／ポリエチレン（ＰＥ）（２０μｍ）／板紙（３９０ｇ／ｍ２  ）／エチレン・メタアクリル酸共重合体（ＥＭＡＡ）（２０μｍ）／アルミニウム箔（Ａｌ）（６μｍ）／ポリエチレンテレフタレートフィルム（ＰＥＴ）（１２μｍ）／ＰＥ（６０μｍ）〔容器内側〕である。
【００２３】
【実施例】
以下実施例により本発明を詳細に説明する。
〈実施例１〉
先ず、一辺が８５ミリメートルで容量が２リットルの四角形状の紙容器の場合、紙容器本体（１０）を構成する複合シートとして、上記構成、すなわち、〔容器外側〕ＰＥ（２０μｍ）／板紙（３９０ｇ／ｍ２  ）／ＥＭＡＡ（２０μｍ）／Ａｌ（６μｍ）／ＰＥＴ（１２μｍ）／ＰＥ（６０μｍ）〔容器内側〕の構成からなる複合シートを準備した。
【００２４】
つぎに、この複合シートの容器の外側となるＰＥ面の必要個所に、インキ層（図示せず）とそれを保護するオーバープリントニス層（図示せず）を塗布する。
【００２５】
このインキ層とオーバーコートニス層を塗布する際に、同時に、図１、図２に示すような位置に、全面にわたりアクリル樹脂系の滑り止めニスである、ＡＱＤ４５ノンスリップワニス（東洋インキ製造株式会社製）をグラビアコート法により３μｍの厚さに塗布し、ノンスリップニス層（１２）を形成させた。
【００２６】
このようにしてノンスリップニス層（１２）を形成させた複合シートを用いて、一般的に公知の所定の作業を行い、一辺が８５ミリメートルで容量が２リットルの屋根型の紙容器（水２リットル充填済）を作製し、実施例１の滑り防止機能付き液体用紙容器とした。
【００２７】
〈実施例２〉
ノンスリップニス層（１２）として、アクリル樹脂系の滑り止めニスの代わりに後記するニスを使用した以外は、実施例１と同じ材料、方法を用いて屋根型の紙容器（水２リットル充填済）を作製し、実施例２の滑り防止機能付き液体用紙容器とした。
【００２８】
使用したニスは、硝化綿：ウレタン樹脂：アルキッド樹脂を３０：３０：４０の比率（重量％）で混合したニスで、グラビアコート方により３μｍ厚の厚さに塗布した。
【００２９】
〈実施例３〉
塗布方法をグラビア版による全面塗布から、グラビア版を用いて直径；４ｍｍの点を２個／ｃｍ２  の割合で分布させたドット状の塗布面に代えた以外は、実施例１と同じ塗布位置に、同じノンスリップワニスを使用して、屋根型の紙容器（水２リットル充填済）を作製し、実施例３の滑り防止機能付き液体用紙容器とした。
【００３０】
〈比較例１〉
ノンスリップニス層（１２）として、通常のオーバープリントニスを使用した以外は実施例１と同じ材料を用いて、同じ塗布方法で、屋根型の紙容器（水２リットル充填済）を作製し、比較例１の滑り防止機能付き液体用紙容器とした。
【００３１】
〈比較例２〉
ノンスリップニス層を設けず、直接ＰＥ面を露出させた屋根型の紙容器（水２リットル充填済、ＰＥ面がノンスリップニス層に相当する）を作製し、比較例２の滑り防止機能付き液体用紙容器とした。
【００３２】
このようにして作製した実施例３種類、比較例２種類、合計５種類の紙容器のノンスリップニス層形成面同士の静摩擦係数と滑り防止性を下記の方法により測定した。その結果を表１に示す。
静摩擦係数  ‥  ＪＩＳ  Ｋ７１２５に準拠
滑り防止性  ‥  水を充填し、手で持ってその滑り具合を官能評価
○  ；  滑らない
×  ；  滑る
【００３３】
【表１】
2004256114.tif 000003
【００３４】
表１の結果から、紙容器本体の両側面で内容物の注出時に手指が触れる個所にノンスリップニス層を形成しておくことにより、片手で紙容器を持ち上げた際に紙容器を滑り落とすことが少なくなることがわかる（実施例１〜３）。
また、静摩擦係数が０．５０以上の場合に効果があることがわかる。
【００３５】
【発明の効果】
上記のように、本発明の滑り防止機能付き液体用紙容器は、紙容器本体の両側面で内容物の注出時に手指が触れる個所に、ノンスリップニス層を形成させたので、紙容器を片手で持って傾けてた際にも、ノンスリップニス層が手指の引っ掛かりとなって滑って紙容器を取り落とすことがない。
【図面の簡単な説明】
【図１】本発明の滑り防止機能付き液体用紙容器の一実施例を示す、側面説明図である。
【図２】本発明の滑り防止機能付き液体用紙容器の一実施例を示す、（ａ）は展開説明図であり、（ｂ）は（ａ）のＡ−Ａ’線断面説明図である。
【図３】本発明の滑り防止機能付き液体用紙容器の使用状態の一実施例を示す斜視説明図である。
【図４】（ａ）、（ｂ）は本発明に使用するノンスリップニス層の塗布状態を示す、側面説明図である。
【符号の説明】
１０‥‥紙容器本体
１１‥‥注出口栓
１２‥‥ノンスリップニス層
２１‥‥第１パネル
２２‥‥第２パネル
２３‥‥第３パネル
２４‥‥第４パネル
２５‥‥複合シート
２６‥‥熱可塑性樹脂層
【図１】
2004256114.tif 000004
【図２】
2004256114.tif 000005
【図３】
2004256114.tif 000006
【図４】
2004256114.tif 000007